(57)【特許請求の範囲】
【請求項１】
溶接部と、溶接部の一端から延伸した延伸部と、溶接部の他端より延伸したサスペンションアームとを具え、該サスペンションアームの一端に他の電子素子と接触する接触部が設けられ、かつ溶接部には該溶接部から延出して溶接部の周辺位置部分より外向きに適宜な長さ突出した突出部が設けられて、前述の溶接部が基板の接触パッド上に溶接される端子と、
上述の端子に対応し該端子を収容する構造を具えた絶縁本体と、を具え、
上述の端子の突出部が前述の絶縁本体の対応位置に係止されるように上述の端子が前述の絶縁本体に固定されて成り、
以上の構造により、前記サスペンションアームの前記接触部が押圧された際に端子に生ずる回転モーメントを前記絶縁本体で受け止めて、溶接部の基板の接触パッドからの剥離を防止するようにしたことを特徴とする、回転防止端子構造。
【請求項２】
請求項１に記載の回転防止端子構造において、絶縁本体がベースと複数の端子収容溝を有し、該ベースが略矩形状とされ、複数の端子収容溝がベースを貫通する縦長形開溝とされたことを特徴とする、回転防止端子構造。
【請求項３】
請求項２に記載の回転防止端子構造において、複数の端子収容溝が格子状に分布し並びに基板の接触パッドと対応して分布することを特徴とする、回転防止端子構造。
【請求項４】
請求項３に記載の回転防止端子構造において、端子に保持部が設けられ、該保持部が延伸部に設けられて端子を絶縁本体内に保持するのに供されることを特徴とする、回転防止端子構造。
【請求項５】
請求項４に記載の回転防止端子構造において、複数の端子収容溝が対向した第１側壁と対向した第２側壁を具え、該第１側壁と第２側壁の境界部分において端子収容溝の両側に向けて凹溝が開設されて端子の保持部を収容し、一方の第２側壁のベース底表面に近い位置にベース内に向けてベースの縦長方向に沿って係止溝が設けられて端子の突出部を収容することを特徴とする、回転防止端子構造。
【請求項６】
請求項４に記載の回転防止端子構造において、複数の端子収容溝が、対向した第１側壁と対向した第２側壁を具え、第１側壁と第２側壁の境界部分において端子収容溝の両側に向けて凹溝が開設され、端子の保持部を収容し、一方の第１側壁のベース底表面に近い部分にベース内に向けて横方向に係止溝が設けられて端子の突出部を収容することを特徴とする、回転防止端子構造。
【請求項７】
請求項５に記載の回転防止端子構造において、端子の突出部が溶接部より縦に外向きに突出し並びに絶縁本体の対応する係止溝内に係止することを特徴とする、回転防止端子構造。
【請求項８】
請求項６に記載の回転防止端子構造において、端子の突出部が溶接部の両側より横向き外向きに突出し並びに絶縁本体の対応する係止溝内に係止することを特徴とする、回転防止端子構造。
【発明の詳細な説明】
【０００１】
【発明の属する技術分野】
本発明は、一種の、回転防止端子構造に係り、特にＬＧＰ（Ｌａｎｄ Ｇｒｉｄ Ｐａｃｋａｇｅ）型コネクタ端子のための回転防止端子構造に関する。
【０００２】
【従来の技術】
コンピュータ業の発展により、ＣＰＵの構造がますます複雑化し、その機能もますます強大となり、ゆえにそれに組み合わせる部品の相互連接の正確性と信頼性の要求もますます高くなっている。ＣＰＵ、チップモジュール及び基板性能をマッチングさせる要求と、それに連接されるコネクタ端子を高密度のマトリクス配列の電気信号端子とするために、業界で広く採用されている連接方式はＢＧＡである。しかし、周知のコネクタにＢＧＡ方式を採用してＣＰＵ、チップモジュール及び基板を接合した場合、コストが比較的高くつき、生産に不便で、且つコネクタの占有体積が大きくなった。ゆえに、業界ではＬＧＰのチップモジュールパッケージ方式が導入されるようになった。これに関係する周知の技術には、例えば米国特許第４，５５３，１９２号明細書、第５，３９５，２５２号明細書がある。図１０に示されるように、周知の技術において、チップモジュール１７は接触パッド２０をその下表面に有し、基板１５は接触パッド３７をその上表面に有している。端子１４はほぼＵ形を呈し、それは一つの上サスペンションアーム２６と下サスペンションアーム２７を具えている。下サスペンションアーム２７の末端に折り曲げて形成された溶接部２８が、表面実装により基板１５の接触パッド３７上に接合され、チップモジュール１７の接触パッド２０と上サスペンションアーム２６が接触部３２により電気信号の伝送を行う。
【０００３】
ただし、端子１４は僅かに表面実装により基板１５上の接触パッド３７上に接合しているため、その溶接構造強度は大きくなく、且つＣＰＵが作動により発生する高温も溶接強度を低下させ、また端子の上サスペンションアーム２６がチップモジュール１７からの下向きの押圧力を受け、端子１４に基板１５の接触パッド３７上で時計方向の回転モーメントを受けさせる。このため、溶接部２８が極めて容易に基板１５上の接触パッド３７より剥離した。また、コネクタの絶縁本体（図示せず）がチップモジュール１７の下向きの押圧力を受けて下に移動し、これにより端子１４が変形、ゆがみを発生し、これによりその接触部３２とチップモジュール１７の接触パッド２０間の接触力に変異が発生し、これによりチップモジュール１７と端子１４の接触不良が発生して電気信号伝送の安定性が保障されなくなり、時には接触部３２と接触パッド２０の間に位置ずれが発生し、チップモジュール１７と基板１５の間が断路されて、システムの失効がもたらされることがあった。
【０００４】
【発明が解決しようとする課題】
本発明の目的は、ＬＧＰ型コネクタ端子のための回転防止端子構造を提供することにあり、この構造を実現することにより、端子に作用する回転モーメントを絶縁本体で受け止め、これにより端子の溶接部に掛かる回転モーメントを低減せしめ、以て端子の溶接部の接触パッドからの剥離を防止し、よって電気信号の安定性を保障できる。
【０００５】
【課題を解決するための手段】
請求項１の発明は、溶接部と、溶接部の一端から延伸した延伸部と、溶接部の他端より延伸したサスペンションアームとを具え、該サスペンションアームの一端に他の電子素子と接触する接触部が設けられ、かつ溶接部には該溶接部から延出して溶接部の周辺位置部分より外向きに適宜な長さ突出した突出部が設けられて、前述の溶接部が基板の接触パッド上に溶接される端子と、上述の端子に対応し該端子を収容する構造を具えた絶縁本体とを具え、上述の端子の突出部が前述の絶縁本体の対応位置に係止されるように上述の端子が前述の絶縁本体に固定されて成り、以上の構造により、前記サスペンションアームの前記接触部が押圧された際に端子に生ずる回転モーメントを前記絶縁本体で受け止めて、溶接部の基板の接触パッドからの剥離を防止するようにしたことを特徴とする、回転防止端子構造としている。
請求項２の発明は、請求項１に記載の回転防止端子構造において、絶縁本体がベースと複数の端子収容溝を有し、該ベースが略矩形体とされ、複数の端子収容溝がベースを貫通する縦長形開溝とされたことを特徴とする、回転防止端子構造としている。
請求項３の発明は、請求項２に記載の回転防止端子構造において、複数の端子収容溝が格子状に分布し並びに基板の接触パッドと対応して分布することを特徴とする、回転防止端子構造としている。
請求項４の発明は、請求項３に記載の回転防止端子構造において、端子に保持部が設けられ、該保持部が延伸部に設けられて端子を絶縁本体内に保持するのに供されることを特徴とする、回転防止端子構造としている。
請求項５の発明は、請求項４に記載の回転防止端子構造において、複数の端子収容溝が対向した第１側壁と対向した第２側壁を具え、第１側壁と第２側壁の境界部分において端子収容溝の両側に向けて凹溝が開設されて端子の保持部を収容し、一方の第２側壁のベース底表面に近い部分にベース内に向けて横方向に係止溝が設けられて端子の突出部を収容することを特徴とする、回転防止端子構造としている。
請求項６の発明は、請求項４に記載の回転防止端子構造において、複数の端子収容溝が、対向した第１側壁と対向した第２側壁を具え、第１側壁と第２側壁の境界部分において端子収容溝の両側に向けて凹溝が開設され、端子の保持部を収容し、一方の第１側壁のベース底表面に近い部分にベース内に向けて横方向に係止溝が設けられて端子の突出部を収容することを特徴とする、回転防止端子構造としている。
請求項７の発明は、請求項５に記載の回転防止端子構造において、端子の突出部が溶接部より縦に外向きに突出し並びに絶縁本体の対応する係止溝内に係止することを特徴とする、回転防止端子構造としている。
請求項８の発明は、請求項６に記載の回転防止端子構造において、端子の突出部が溶接部の両側より横向き外向きに突出し並びに絶縁本体の対応する係止溝内に係止することを特徴とする、回転防止端子構造としている。
【０００６】
【発明の実施の形態】
本発明は、端子と該端子を対応設置する絶縁本体をそれぞれ有し、該端子に溶接部、保持部及びサスペンションアームを設け、溶接部は表面実装技術で基板の接触パッド上に溶接し、保持部は絶縁本体内に保持し、サスペンションアームは溶接部の一端より斜め上方向に延伸し、サスペンションアームの末端に接触部を設けて該接触部をチップモジュールの接触パッドに接触させるようにした回転防止端子構造において、端子には、端子の溶接部より縦向き外向き或いは溶接部の両側より横向き外向きに突出する少なくとも一つの突出部を設け、一方、絶縁本体には、絶縁本体内の前述の突出部に対応する位置に、該端子の突出部を収容可能な係止溝を開設し、並びに端子の突出部を絶縁本体の対応する係止溝内に係止させることを特徴としている。
【０００７】
上述の本発明の特徴により、突出部の作用により、端子に作用する回転モーメントを絶縁本体で受け止め、これにより端子の溶接部に掛かる回転モーメントを低減せしめ、溶接部の基板の接触パッドからの剥離を防止し、それによりサスペンションアームの溶接部変形による変形ゆがみを防止して、接触力の一致性を確保し、並びに端子接触部とチップモジュールの接触パッドとの間に位置ずれを発生させず、電気信号伝送の安定性を確保できる。
【０００８】
【実施例】
図１は本発明のコネクタ端子の第１実施例を示し、まず、実際の運用の必要及び設計規格等の因子により端子１を製造する。該端子１はＶ形の弾性構造を有し、一つの溶接部１０を具え、該溶接部１０は表面実装技術で基板８００の接触パッド９００上に溶接され、溶接部１０の一端が斜め上向きに延伸されて水平の延伸部２３が形成され、延伸部２３の末端両側に直立する保持部２５が設けられて絶縁本体３の凹溝３１０（図２参照）内に保持される。溶接部１０のもう一端が斜め上向きに折り曲げられ延伸されて一つのサスペンションアーム２１が延伸形成され、該サスペンションアーム２１の末端が折り曲げられて一つの接触部２２が設けられてチップモジュール５５０の接触パッド４３０と接触し（図４参照）、溶接部１０とサスペンションアーム２１の境界部分の両側より縦に外向きに突出部５０が形成され、該突出部５０が絶縁本体３のベース４００の対応する係止溝３５０内に係止される（図４参照）。
【０００９】
図２、３に示されるのは、本発明のコネクタ端子の第１実施例に対応して設置される絶縁本体３であり、本発明の端子１を製造した後、端子１を対応設置する絶縁本体３を製造する。絶縁本体３は略矩形のベース４００と該ベース４００を貫通する複数の端子収容溝３００を具え、該端子収容溝３００はベース４００上で格子状分布を呈し並びにチップモジュール５５０の接触パッド４３０に対応して分布し（図４参照）、これにより接触パッド４３０と端子１の接触部２２が電気信号の伝送を行う。各一つの端子収容溝３００はほぼ縦長の開溝状を呈し、それは第１側壁３８０と第２側壁３３０を具え、該第１側壁３８０と第２側壁３３０の境界部分に端子収容溝３００の両側に向けてそれぞれ一つの凹溝３１０が開設されて、端子１の保持部２５を収容し、該第２側壁３３０のもう一側のベース１０の底表面２４に近い部分に端子収容溝３００の縦長方向に沿って係止溝３５０が設けられ、端子１の突出部５０を収容する。
【００１０】
図５は本発明によるコネクタ端子の第２実施例を示し、それと第１実施例の異なるところは、端子２が、溶接部１００の両側より横向きに外向きに凸設された端子１の突出部６０を具え、該突出部６０が対応する絶縁本体４のベース４０の係止溝４６０内に収容されるところである（図７参照）。
【００１１】
図６から図８に示されるのは本発明の第２実施例の端子２を対応設置する絶縁本体４を示し、それと前述の絶縁本体３の異なるところは、係止溝の設置位置の違いである。この絶縁本体４において、各一つの端子収容溝３０はやや縦長の開溝とされ、それに第１側壁３８と第２側壁３３が設けられ、一対の係止部４６が第１側壁３８部分において端子収容溝３０内部に突伸し、係止部４６の下方の端子収容溝３０の第１側壁３８内に横向きにそれぞれ一つの係止溝４６０が設けられて、端子２の突出部６０を収容する（図９参照）。
【００１２】
【発明の効果】
突出部５０、６０が絶縁本体３、４の対応する係止溝３５０、４６０内に係止されるため、端子１、２に発生する回転モーメントが受け止められ、溶接部１０、１００の基板の接触パッドからの剥離が防止され、並びにサスペンションアーム２１、２１０に溶接部１０、１００変形により引き起こされる変形、ゆがみが防止され、これにより一定の接触力が確保され、さらにこれにより端子１、２の接触部２２、２２０とチップモジュール５５、５５０の接触パッド４３、４３０が位置ずれを発生せず、電気信号伝送の安定性が確保される。
【００１３】
本発明は、端子に設けた突出部の作用により、端子に作用する回転モーメントを絶縁本体で受け止め、これにより端子の溶接部に掛かる回転モーメントを低減せしめ、溶接部の基板の接触パッドからの剥離を防止し、それによりサスペンションアームの溶接部変形による変形ゆがみを防止して、一定の接触力を確保し、並びに端子接触部とチップモジュールの接触パッドとの間に位置ずれを発生させず、電気信号伝送の安定性を確保できる。
【００１４】
なお、以上の説明は本発明の望ましい実施例に係るものであって本発明の請求範囲を限定するものではなく、本発明に基づきなしうる細部の修飾或いは改変は、いずれも本発明の請求範囲に属するものとする。
【図面の簡単な説明】
【図１】本発明のコネクタ端子の第１実施例の斜視図である。
【図２】本発明の第１実施例の端子が対応する絶縁本体の平面図である。
【図３】図２のII-II 線方向に沿った断面図である。
【図４】本発明の第１実施例の端子をチップモジュールと基板の組合せに用いた組合せ表示図である。
【図５】本発明のコネクタ端子の第２実施例の斜視図である。
【図６】本発明の第２実施例の端子が対応する絶縁本体の平面図である。
【図７】図６のVII-VII 線方向に沿った断面図である。
【図８】図６のVIII-VIII 線方向に沿った断面図である。
【図９】本発明の第２実施例の端子をチップモジュールと基板の組合せに用いた組合せ表示図である。
【図１０】周知のコネクタ端子をチップモジュールと基板の組合せに用いた組合せ表示図である。
【符号の説明】
１、２  端子                              １０、１００  溶接部
２１、２１０  サスペンションアーム        ２２、２２０  接触部
２３、２３０  延伸部                      ２４  底面
２５、２５０  保持部                      ３、４  絶縁本体
３０、３００  端子収容溝                  ３１、３１０  凹溝
３３、３３０  第２側壁                    ３５０、４６０  係止溝
３８、３８０  第１側壁                    ４０、４００  ベース
４３、４３０、９０、９００  接触パッド
４６  係止部                              ５０、６０  突出部
５５、５５０  チップモジュール            ８０、８００  基板
【図１】
0003816307.tif 000002
【図２】
0003816307.tif 000003
【図３】
0003816307.tif 000004
【図４】
0003816307.tif 000005
【図５】
0003816307.tif 000006
【図６】
0003816307.tif 000007
【図７】
0003816307.tif 000008
【図８】
0003816307.tif 000009
【図９】
0003816307.tif 000010
【図１０】
0003816307.tif 000011